(57)【要約】【課題】機構セット盤から球払出装置を着脱する作業を容易に行うことができる遊技機を提供する。【解決手段】遊技球を排出することが可能な球払出装置Ｌ１、Ｌ２及び該球払出装置Ｌ１、Ｌ２を設置するための球払出装置設置部３１が機構セット盤に形成され、前記球払出装置Ｌ１、Ｌ２が収容される球払出装置収容体３２が前記球払出装置設置部３１に装着され、前記球払出装置収容体３２を前記球払出装置設置部３１の前後方向にスライド案内させて着脱するための着脱案内手段として、前記球払出装置設置部３１に溝状凹部３５〜３７を設け前記球払出装置収容体３２に凸条３８〜４０を設け、前記球払出装置収容体が前記球払出装置設置部に装着された状態の保持及び解除が指先で操作可能とするレバー４６を球払出装置設置部３１の前面側に設け、前記球払出装置設置部から前記球払出装置収容体を取出すための取っ手５９を球払出装置収容体３２に設けて遊技機を構成した。【選択図】  図１
2004329277.tif 000002
【特許請求の範囲】
【請求項１】
遊技球を排出することが可能な球払出装置及び該球払出装置を設置するための球払出装置設置部を有する遊技機において、
前記球払出装置が収容される球払出装置収容体が前記球払出装置設置部に装着され、
前記球払出装置収容体及び／又は前記球払出装置設置部に、前記球払出装置収容体を前記球払出装置設置部の前後方向にスライド案内させて着脱するための着脱案内手段が設けられ、
前記球払出装置収容体が前記球払出装置設置部に装着された状態の保持及び解除が指先で操作可能な保持手段が前記球払出装置収容体及び／又は前記球払出装置設置部の前面側に設けられ、
前記球払出装置設置部から前記球払出装置収容体を取出すための把持手段が該球払出装置収容体に設けられていることを特徴とする遊技機。
【請求項２】
球払出装置収容体が、複数の球払出装置を収容可能に形成されている請求項１記載の遊技機。
【請求項３】
着脱案内手段が凸部及び溝状凹部から構成され、球払出装置設置部が球払出装置収容体の嵌入する空間である嵌入部及び該球払出装置収容体の底面を支持するための支持部材とから形成され、前記球払出装置収容体の底面に、着脱案内手段の凸部又は溝状凹部が設けられ、前記球払出装置収容体の底面に対向する前記球払出装置設置部の支持部材に、前記球払出装置収容体の底面に設けられた凸部又は溝状凹部に対応する溝状凹部又は凸部が設けられている請求項１又は請求項２記載の遊技機。
【請求項４】
着脱案内手段が凸部及び溝状凹部から構成され、球払出装置収容体の上面が球払出装置を出し入れ可能な開口部と、該開口部を覆うカバー部材とから構成され、前記カバー部材の上面に着脱案内手段の凸部又は溝状凹部が設けられ、球払出装置設置部の前記カバー部材の上面と対向する部分に、前記カバー部材の上面に設けられた凸部又は溝状凹部に対応する溝状凹部又は凸部が設けられている請求項１〜３のいずれか１項に記載の遊技機。
【請求項５】
着脱案内手段の凸部が、溝状凹部の案内方向に亘り連続的又は断続的に延設された凸条として形成されている請求項３又は請求項４記載の遊技機。
【請求項６】
複数の球払出装置が球払出装置収容体の前後方向に複数収容されており、前記球払出装置が少なくとも同一の外形を有し、夫々の球払出装置を前後へ重ね合わせた際の一方の球払出装置の外壁面に第１の位置決め部が形成され、前記一方の球払出装置の外壁面に対向する他方の球払出装置の外壁面に前記第１の位置決め部が整合する第２の位置決め部が形成され、夫々の球払出装置が位置決め部を整合させた状態で球払出装置収容体に収容されている請求項２〜５のいずれか１項に記載の遊技機。
【発明の詳細な説明】
【０００１】
【発明の属する技術分野】
本発明は、パチンコ遊技機等の遊技球を用いて遊技を行う遊技機に関し、遊技球を所定数ごとに排出して払出すための球払出装置を備えた遊技機に関するものである。
【０００２】
【従来の技術】
パチンコ遊技機等の遊技球を用いた遊技機は、遊技媒体としての遊技球を遊技領域に送出して、パチンコゲーム等の所要の遊技を行うように構成されている。このような遊技機の裏側には、機構セット盤が配置されており、該機構セット盤には、遊技機のゲームを制御するための制御装置や、球容器や整流路及び球送出路などから構成され遊技球の流通経路として機能する球貯留排出経路部等が設けられている。また、機構セット盤における球貯留排出経路部の下方には球払出装置が配設され、貯留球排出経路部の流通路に該球払出装置の球入り口が連通するように取付られている。
【０００３】
遊技球が遊技機の盤面の入賞装置に入賞した場合等のように、遊技機において所定条件が成立した場合には、所定数の賞球が払出される。賞球の払出しは具体的には、機構セット盤の球貯留排出経路部内に貯留された遊技球（貯留球）が、球払出装置の作動制御の下に、所定数だけ、機前側に設けられた上球皿又は下球皿に給出される。
【０００４】
また、貸球用のカード及びカードユニットを利用して球貯留排出経路部の貯留球を貸し出すように形成された遊技機（一般に「カード式遊技機」と呼ばれる。）の場合には、前述した賞球の払出しとは別に、遊技者による球貸操作に応答して球払出装置が駆動して、球貯留排出経路部から所定数の遊技球（貯留球）が、貸球として上球皿に給出される。
【０００５】
ところで、球払出装置を機構セット盤に取付ける取付手段として、球払出装置の４隅部に前後方向に貫通する複数の通孔を形成し、各通孔にネジを挿通すると共にネジを機構セット盤に設けたネジ孔に締めつけて取付ける手段が知られている（例えば、特許文献１参照。）。
【０００６】
また、球払出装置を機構セット盤に取付ける別の手段として、ネジを使用しないで球払出装置を取付ける手段が提案されている。この手段は、球払出装置の背面に係合突部を設け、機構セット盤の設置部に係合規制部を設け、球払出装置の前面を設置部の奥壁に当てがった後上方に引上げ、係合突部を係合規制部に係合させて球払出装置を機構セット盤に設けられた設置部に取付けるものである（例えば、特許文献２参照。）。
【０００７】
【特許文献１】
特開２００１−３４０５８１号公報（第６頁段落番号００１８、図３）
【特許文献２】
特開２００１−１７７０１号公報（第４頁段落番号００２３、図７）
【０００８】
【発明が解決しようとする課題】
特許文献１に記載の発明のように、機構セット盤に球払出装置をネジで固定する場合には、両部材を確実に固定でき、更に、球払出装置の球入り口を球貯留排出経路部の球通路に連通させることが、精度良く確実に行うことができる等の利点がある。しかしながら、球払出装置を機構セット盤に対して着脱する際に、球払出装置の通孔にネジを挿通して取付ける構造は、球払出装置の着脱に際し、ドライバ等の工具を使用しなければならない。さらに球払出装置にネジを挿通する作業及び機構セット盤のネジ孔にネジを締付ける作業が必要であり、作業が非常に煩雑である。
【０００９】
また上記特許文献２に記載の発明は、上記特許文献１に記載の手段のようなネジによる煩わしさはない。係合突部及び係合規制部が、球払出装置の背面側となる設置部奥に設けられている。係合突部を用いて係合する場合、球払出装置が邪魔になって係合突部及び係合規制部は作業者から見難い状態となり、手探りで係合作業を行なわなければならず、着脱作業に時間がかかる。また着脱の際に、見難い状態で作業を行なうとこれらの部品に無理な力が加わり、部品が破損する虞がある。
【００１０】
本発明は、上記従来技術の欠点を解消するためになされたものであり、機構セット盤からの球払出装置の着脱作業を容易に行うことが可能な遊技機を提供することを目的とする。
【００１１】
【課題を解決するための手段】
本発明は、
（１）遊技球を排出することが可能な球払出装置及び該球払出装置を設置するための球払出装置設置部を有する遊技機において、
前記球払出装置が収容される球払出装置収容体が前記球払出装置設置部に装着され、
前記球払出装置収容体及び／又は前記球払出装置設置部に、前記球払出装置収容体を前記球払出装置設置部の前後方向にスライド案内させて着脱するための着脱案内手段が設けられ、
前記球払出装置収容体が前記球払出装置設置部に装着された状態の保持及び解除が指先で操作可能な保持手段が前記球払出装置収容体及び／又は前記球払出装置設置部の前面側に設けられ、
前記球払出装置設置部から前記球払出装置収容体を取出すための把持手段が該球払出装置収容体に設けられていることを特徴とする遊技機、
（２）球払出装置収容体が、複数の球払出装置を収容可能に形成されている上記（１）記載の遊技機、
（３）着脱案内手段が凸部及び溝状凹部から構成され、球払出装置設置部が球払出装置収容体の嵌入する空間である嵌入部及び該球払出装置収容体の底面を支持するための支持部材とから形成され、前記球払出装置収容体の底面に、着脱案内手段の凸部又は溝状凹部が設けられ、前記球払出装置収容体の底面に対向する前記球払出装置設置部の支持部材に、前記球払出装置収容体の底面に設けられた凸部又は溝状凹部に対応する溝状凹部又は凸部が設けられている上記（１）又は（２）記載の遊技機、
（４）着脱案内手段が凸部及び溝状凹部から構成され、球払出装置収容体の上面が球払出装置を出し入れ可能な開口部と、該開口部を覆うカバー部材とから構成され、前記カバー部材の上面に着脱案内手段の凸部又は溝状凹部が設けられ、球払出装置設置部の前記カバー部材の上面と対向する部分に、前記カバー部材の上面に設けられた凸部又は溝状凹部に対応する溝状凹部又は凸部が設けられている上記（１）〜（３）のいずれか１項に記載の遊技機、
（５）着脱案内手段の凸部が、溝状凹部の案内方向に亘り連続的又は断続的に延設された凸条として形成されている上記（３）又は（４）記載の遊技機、
（６）複数の球払出装置が球払出装置収容体の前後方向に複数収容されており、前記球払出装置が少なくとも同一の外形を有し、夫々の球払出装置を前後へ重ね合わせた際の一方の球払出装置の外壁面に第１の位置決め部が形成され、前記一方の球払出装置の外壁面に対向する他方の球払出装置の外壁面に前記第１の位置決め部が整合する第２の位置決め部が形成され、夫々の球払出装置が位置決め部を整合させた状態で球払出装置収容体に収容されている上記（２）〜（５）のいずれか１項に記載の遊技機、
を要旨とするものである。
【００１２】
【発明の実施の形態】
以下、図面を用いて本発明の実施例を詳細に説明する。図１は本発明遊技機の球払出装置設置部と球払出装置収容体の一例を示す斜視図であり、図２は本発明に係る遊技機の一実施態様として、貸球用のカードユニットを利用して貯留球を貸出すように形成されたカード式パチンコ機の正面図を示し、図３は図２のパチンコ機の背面図を示す。
【００１３】
本実施例のパチンコ機Ｐは、図２に示すように、その基本的な構成として、外枠１の開口前面側に対して前枠２が、連結支持手段及び施錠手段を利用して着脱及び開放可能に組付けられている。そして前枠２には、横開き式のガラス扉３を組付けた窓枠４と、ガラス扉３の下部において前枠２に対して着脱及び開放可能に組付けられる開閉セット板の前側に上球皿５が組付けられると共に、該開閉セット板の後側に電動式の球送り装置（図示せず）等がセットされ、前枠２の下部に下球皿６及び打球発射装置７等が設置されている。更に前枠２の後方に設けた保持枠８（図３参照）の正面内部に、所要の遊技領域９を構成した遊技盤１０が着脱交換可能にセットされる。
【００１４】
また図２に示すようにパチンコ機Ｐの側方（外枠１の隣接部位となる）には、貸球の払出し制御に必要とされる球貸しユニット（カバー式）Ｔが設置されていて、該球貸しユニットＴは各電子制御部と接続されている。
【００１５】
また図３に示すようにパチンコ機Ｐの裏側には、機構セット盤１２等が装備される。機構セット盤１２は、前枠２の裏側に位置する遊技盤１０のセット用の保持枠８の背面側に着脱可能に取付けられている。機構セット盤１２は、保持枠８に対応し得る方形サイズに樹脂成形され、略中央部に遊技盤裏面の点検用窓口１５が開口している。
【００１６】
さらに機構セット盤１２において、前記点検用窓口１５の上部から右側部に亘る外周囲部に、球貯留排出経路部１７等が配設されている。球貯留排出経路部１７は、機構セット盤１２の上部に上方開口状態で設置される球容器（「球タンク」とも云う）１７ａと、この球容器１７ａ底面の下流端に開口された球出口に合わせた下部に取着される斜状レール形の整流路部１７ｂと、左右蛇行状に形成されて前記整流路部１７ｂの下流端に連絡し、第１球払出装置Ｌ１（後述する）の上方に位置する第１球送出路部１７ｃと、第２球払出装置Ｌ２（後述する）の上方に位置する第２球送出路部１７ｄとに２分割された球送出路部Ｒとから構成される。球貯留排出経路部１７には、相当量（例えば５００個程度）のパチンコ球を貯留球として一時的に貯留可能である。なお球送出路部Ｒの第１球送出路部１７ｃと第２球送出路部１７ｄとは、夫々別々に機構セット盤１２に装着されている。
【００１７】
そして図３に示すように、機構セット盤１２の球貯留排出経路部１７の球送出路部Ｒの下側には、遊技球を排出して払出すことが可能な球払出装置を設置するための球払出装置設置部３１が設けられている。球払出装置設置部３１には、電動制御式の球払出装置が２個収容された球払出装置収容体３２が、該球払出装置設置部３１から取り外し可能に設置されている。
【００１８】
球払出装置設置部３１の下方には、球払出装置Ｌ１、Ｌ２（図４に示す）から払出された貸球及び賞球を遊技機前面側の上球皿５又は下球皿６へ排出する球排出経路（図示せず）が形成されており、球貯留排出経路部１７に貯留された所定数のパチンコ球（貯留球）が、球払出装置Ｌ１、Ｌ２の作動により貸球又は賞球として払出されるようになっている。
【００１９】
なお図３に示すように機構セット盤１２には、その他の構成として、点検用窓口１５の下方に、アウト球及びセーフ球を機外へ排出する球通出経路が形成される他に、球抜き装置、賞球満杯検出装置及び貸球用の検出スイッチ（何れも図示せず）等が夫々設置され、上方隅端部にターミナル基盤（集中基盤ともいう）１８が設置されている。
【００２０】
また点検用窓口１５の下方背面側には、パチンコ機Ｐを全体的に制御するメイン基板を収容した主制御装置１９、前記打球発射装置７を制御する発射制御基板を収容した発射制御装置２０、前記球払出装置Ｌ１、Ｌ２を制御する払出制御基板を収容した払出制御装置２１、遊技盤１０におけるパチンコゲームに応じた効果音等を発生制御する音制御基板を収容した音制御装置２２、及び球貸しユニットＴと接続して各種データの入力及び出力を行なうためのコネクタを備えたインターフェース２３等が所要位置に設置固定される一方、前記裏カバー部材１６の背面側に電源基板２４が設置固定されている。
【００２１】
図１は図３に示すパチンコ機Ｐの球払出装置設置部３１と球払出装置収容体３２の部分を示すものである。図１に示すように機構セット盤１２に設けられる球払出装置設置部３１は、機構セット盤１２の前面側に開口し球払出装置収容体３２が嵌入可能な大きさを有する空間として形成されている嵌入部３３と、前記球払出装置収容体３２を嵌入した状態を維持し機構セット盤１２の所定の位置に保持するために設けられている左右の側面板３４ａ、３４ｂ、奥側面板３４ｃ、底面板３４ｄ及び天井板３４ｅからなる複数の支持部材と、レバー４６が軸支されている前面板３４ｆ等から構成されている。
【００２２】
これらの各支持部材３４ａ〜３４ｅは、機構セット盤１２の一部として形成されている。なお本発明では支持部材は球払出装置収容体３２を支持することが可能であればよく、少なくとも底面板３４ｄ及び天井板３４ｃを備えていれば良く、球払出装置設置部３１の側面板３４ａ、３４ｂなどを省略することができる。球払出装置収容体３２が球払出装置設置部３１に装着された状態では、球払出装置収容体３２は球払出装置設置部３１の底面板３４ｄに支持されている。これらの球払出装置設置部３１は、機構セット盤を成型する際に一体に成型してもよいし、別体の部材として成型し、機構セット盤に後から取付けてもよい。
【００２３】
なお、本実施例の説明において、機構セット盤１２、球払出装置設置部３１、又は球払出装置収容体３２の「前面側」及び「奥側」とは、図３に示すパチンコ機Ｐの背面側から見た場合、手前を前面側と言い、手前から遠いパチンコ機Ｐ正面側に近い奥の方を奥側と言う。また、これらの左右方向とは同様にパチンコ機Ｐの背面側から見た場合の左方向及び右方向を意味する。
【００２４】
球払出装置設置部３１は、天井板３４ｅの球払出装置収容体３２が嵌入した際の上対向面（すなわち嵌入部３３側）には、前面側から奥側に直線状に１本の溝状凹部３５が、嵌入部３３の左右方向の略中央に設けられている。また球払出装置設置部３１の底面板３４ｄの球払出装置収容体３２が嵌入した際の下対向面（すなわち嵌入部３３側）には、前面側から奥側に直線状に２本の溝状凹部３６、３７が、嵌入部３３の左右方向に一定の間隔を持って２本形成されている。天井板３４ｅ及び底面板３４ｄに設けられているこれらの溝状凹部３５〜３７の凹部内を、球払出装置収容体３２の前記溝状凹部３５〜３７に夫々対向する位置に設けられている凸条３８、３９、４０（後述する）がスライドする。溝状凹部３５〜３７及び凸条３８〜４０が組み合わされて着脱案内手段として構成され、球払出装置収容体設置部３１に球払出装置収容体３２を嵌入或いは抜き出す場合のガイドとして機能する。
【００２５】
球払出装置設置部３１において、球払出装置収容体３２の上対向面（天井板３４ｅ）には、球払出装置Ｌ１、Ｌ２の球流入口に対応する部分に、パチンコ球が通過可能な四角形状の貫孔からなる球通道４１、４２が設けられている。また球払出装置設置部３１における球払出装置収容体３２の下対向面（底面板３４ｄ）には、球払出装置Ｌ１、Ｌ２の球流出口に対応する部分に、パチンコ球が通過可能な四角形状の貫孔からなる球通口４３、４４が設けられている。なお、底面板３４ｄに設けられた球通口４３、４４は、片方の溝状凹部３６と重なるように設けられている。
【００２６】
また球払出装置設置部３１の底面板３４ｄには、該設置部３１の左右方向の略中央部に前面側から奥側に向けて幅を持つ切欠部からなる配線用スリット４５が設けられている。この配線用スリット４５は、球払出装置に設けられているコネクタ端子にコネクタを接続した際に、配線コードの通り道となる。
【００２７】
図１に示すように、球払出装置設置部３１の前面側の開口部の上方の左右方向略中央に、係止片としての棒状のレバー４６が、その一方の端部側が止ねじ４７を軸として、機構セット盤１２の前面板３４ｆに軸支されている。レバー４６は前面において上下方向に回動するように取付けられている。レバー４６の先端が水平位置よりも下方を向くように回動させると、該レバー４６が嵌入部３３の開口に掛かり、球払出装置収容体３２が係止される位置となり、一方レバー４６の先端が水平よりも上を向くように回動させると、嵌入部３３の開口に掛らないようになり、球払出装置の収容体３２の係止が解除される。またレバー４６の裏側の端部には、球払出装置収容体３２に設けられた係止用溝部５１（被係止部となる）に係止されるための円柱状の突起４８が、奥側に突出するように設けられている。このレバー４６及び係止用溝部５１は、球払出装置収容体３２が球払出装置設置部３１に装着された状態の保持及び解除が指先で操作可能な保持手段を構成している。
【００２８】
図４は球払出装置収容体と球払出装置を示す斜視図である。図４に示すように、球払出装置収容体３２は、上面が球払出装置を出し入れ可能な開口部５２を有し、２つの球払出装置Ｌ１、Ｌ２を前後方向に収容可能な大きさを有する箱体５３と、該箱体５３の開口部５２を覆い、該箱体５３から取り外し自在に形成されたカバー部材５４とから構成されている。箱体５３は、前壁板５３ａ、奥壁板５３ｂ、左壁板５３ｃ、右壁板５３ｄ、及び床板５３ｅにより箱状に形成されている。
【００２９】
球払出装置収容体３２の左右両側壁板５３ｃ、５３ｄの、２つの球払出装置Ｌ１、Ｌ２の側面上方に対応した位置には、片側に２箇所ずつ合計４箇所に、上方から一定の深さに切欠かれた切欠部５５、５６、５７、５８が設けられている。球払出装置収容体３２から球払出装置Ｌ１、Ｌ２を取出す際に、この切欠部５６〜５８があると該切欠部に対応する夫々の球払出装置の側面上方を２本の指で摘まむことができる。また、球払出装置収容体３２に、球払出装置Ｌ１、Ｌ２が収容されているかどうかを確認するのぞき窓になる。
【００３０】
球払出装置収容体３２の前壁板５３ａの外側表面の上部には、球払出装置設置部３１の前面側に設けたレバー４６の被係止部となる係止用溝部５１が設けられている。係止用溝部５１は、レバー４６の裏側の突起４８が案内される凹溝として形成されている。また前壁板５３ａの外側表面の中程に、球払出装置収容体３２を取出す際に指を掛ける摘まみとなる取っ手５９（把持手段）が設けられている。この取っ手５９は前壁板５３から逆Ｕ字状に突出する壁状体６０と該壁状体の前面側を覆う板状体６１とから構成され、下側が開口し前記板状体の開口側から半円状に切り欠かれた半円状の指掛部６２が設けられている。
【００３１】
図５は図４の球払出装置収容体の箱体の平面図である。図５に示すように、球払出装置収容体３２の床板５３ｅには、夫々の球払出装置Ｌ１、Ｌ２の球流出口から球払出装置設置部３１の底面板３４ｄに設けた球通口４３、４４に連通する球通口６３、６４が設けられている。更に床板５３ｅには、球払出装置収容体３２内部に収容した球払出装置Ｌ１、Ｌ２のコネクタ端子に、外部からコネクタを接続するためのコネクタ通口６５、６６が設けられている。
【００３２】
図５に示すように、球払出装置収容体３２の床板５３ｅには、内面側に突出する補強用リブ６７が設けられている。補強用リブ６７は上記の四角形に形成された球通口６３、６４及びコネクタ通口６５、６６の周囲四方、並びに左壁板５３ｃ、右壁板５３ｄを結ぶように設けられている。
【００３３】
球払出装置収容体３２の底面となる床板５３ｅの外側には、着脱案内手段を構成する２つの凸条３９、４０が、前面側から奥側に直線状に、球払出装置収容体３２の左右方向に一定の間隔を持って形成されている。なお球通口６３、６４が設けられている側の凸条３９は、球通口６３、６４の部分と重なっているために、当該部分で切断されており（特に図示しない）、断続的に形成された凸条である。
【００３４】
また図５に示すように、球払出装置収容体３２の奥壁板５３ｂの左右の両端部側に、外側に膨出する凹溝６８、６９が上下方向に設けられている。さらに奥壁板５３ｂには、外方に突出する支持体７５により左右方向に長手方向とする支持棒７４の両端が支持され、支持棒７４と奥壁板５３ｂとの間に間隔が形成されている。
【００３５】
図１に示すように、球払出装置収容体３２の開口部５２を覆うカバー部材５４の上面には、着脱案内手段を構成する凸条３８が設けられている。凸条３８は球払出装置設置部３１の溝状凹部３５に嵌合する位置に、前面側から奥側に連続する直線状に形成されている。また、カバー部材５４には、球払出装置Ｌ１、Ｌ２の球流入口と連通するように、夫々貫通孔からなる球通口７０、７１が設けられている。
【００３６】
図４に示すように、カバー部材５４の奥側端部には、２つの鉤状部材７２、７３が該カバー部材５４の下面側（カバー部材を閉じた状態で下方となる側）に延設されている。カバー部材５４は、鉤状部材７２、７３が、球払出装置収容体３２の奥壁板５３ｂの外側に設けた支持棒７４に回動自在に軸支されていると共に、球払出装置収容体３２から着脱可能に形成されている。
【００３７】
図２、図３に示すカード式パチンコ機Ｐの場合、球払出装置は図４に示すように、遊技盤面上の入賞口に入賞したセーフ球に対して所定数の賞球を排出する賞球払出装置Ｌ１（第１球払出装置）、及び遊技者による貸球操作に対して所定数の貸球を排出する貸球払出装置Ｌ２（第１球払出装置）の、２つの球払出装置が球払出装置収容体３２に収容されてセットされる。パチンコ機Ｐがカード式球貸機１１を備えていない現金式パチンコ機Ｐの場合には、賞球払出装置Ｌ１のみを球払出装置として球払出装置収容体３２に収容してセットすればよい（図９参照）。
【００３８】
なおカード式パチンコ機Ｐの場合でも、一つの球払出装置のみで賞球と貸球の排出を行うことは可能である。しかしその場合、球払出装置が故障した際に、賞球又は貸球のどちらの排出制御に不具合があるのかを特定するのが困難であったり、賞球排出時に貸球の操作をした場合、すべての賞球を排出した後に貸球が排出されることになり、賞球と貸球の排出操作を同時に行うことができないため排出スピードが遅くなるという問題が生じる。
【００３９】
また、一つの球払出装置に賞球と貸球の二つの排出機構を内在させて構成することも可能である。しかしその場合には、一方の排出機構が故障した場合に他方の排出機構が正常であっても、球払出装置を修理や廃棄しなければならないことになり、経済的に問題がある。しかも現金式のパチンコ機は、貸球の排出機構が不要である。一つの球払出装置に賞球と貸球の二つの排出機構を設けることはコスト面で不利である。このような点を鑑みると、全く同一の球払出装置を２個準備して、それぞれを賞球用球払出装置又は貸出用球払出装置として利用することは種々の利点がある。つまり同一の球払出装置を複数使用することは、球払出装置に汎用性を持たせることができ製造の際の管理等が容易になる。さらにパチンコ機Ｐとした際には、どの球払出装置が故障した場合であっても１種類の装置で対応することができる。
【００４０】
図４に示す第１球払出装置Ｌ１及び第２球払出装置Ｌ２は、全く同一の装置であり、同一の外形形状を備えている。これらの球払出装置Ｌ１、Ｌ２は、払出制御装置２１からの出力信号により制御作動されるもとで、同制御装置２１から貸球払出し指令信号が第１球払出装置Ｌ１へ出力され、賞球払出し指令信号が第２球払出装置Ｌ２へ出力され、これらの各信号に応じて貸球と賞球とが区分されて払出される。
【００４１】
球払出装置Ｌ１、Ｌ２は、上下に貫通する球通路８５が設けられて、上面側が球流入口として開口し下面側が球流出口として開口している。球通路８５には球払出装置の内部に収納されている電動式の球払出し機構部の一部となる爪車状の球送り体が臨んでいる。前記の球払出し機構部は、爪車状の球送り体、該球送り体の回転を制御する電磁ソレノイド、球通路８５内の貯留球の有無を検出する上センサ及び下センサ等から構成される。球送り体は外周に形成した複数の区画爪部により区画された球受け部が球通路内へ臨んでいて、球通路内を流下する貯留球を回転しながら排出し得るようになっている。球払出装置Ｌ１、Ｌ２は、図４に示す如く、基本的な外形形状が矩形箱体状に形成された合成樹脂製のケース体の内部に、電動式の球払出し機構部及び中継基板等が収容されて構成される。
【００４２】
以下、球払出装置収容体を機構セット盤の球払出装置設置部に装着する場合について説明する。球払出装置Ｌ１、Ｌ２は図４に示す如く、夫々の装置Ｌ１、Ｌ２が前壁面（外壁面）８１及び後壁面（外壁面）８２を相互に密接させた状態で球払出装置収容体３２の前後方向に収容される。
【００４３】
球払出装置Ｌ１、Ｌ２には、上記の密接状態を維持するために、位置規制用の部材が設けられている。球払出装置Ｌ１、Ｌ２を前後へ重ね合せた際の一方の球払出装置（例えばＬ１）の外壁面（後壁面８２）の４隅部に夫々突出させた円筒ボス８３ａ、８３ｂ、８３ｃ、８３ｄが第１の位置決め部として形成され、前記一方の球払出装置の外壁面（後壁面８２）に対向する他方の球払出装置（Ｌ２）の外壁面（前壁面８１）の４隅部には、第１の位置決め部が整合する第２の位置決め部として前記円筒ボス８３ａ、８３ｂ、８３ｃ、８３ｄが夫々嵌合する凹部８４ａ、８４ｂ、８４ｃ、８４ｄが形成されている。
【００４４】
球払出装置Ｌ１、Ｌ２は、前壁面と後壁面とが相互に合わさるようにして位置決め部を整合させた状態にすると、円筒ボス８３ａ〜８３ｄが凹部８４ａ、８４ｂ、８４ｃ、８４ｄに整合して、両者が密接した状態が維持される。球払出装置Ｌ１、Ｌ２は、前後方向の縦列状態で、同一方向を向いた状態で、相互に密接した状態となる。球払出装置に位置決め部が形成されていると、複数の球払出装置を球払出装置収容体の内部に収容する際の位置決めを極めて容易に行うことができる。
【００４５】
このように球払出装置Ｌ１、Ｌ２を密接した状態で、球払出装置収容体３２の上面開口部５２より、スライドさせて内部に挿入する。球払出装置収容体３２の内寸法は、２つの球払出装置Ｌ１、Ｌ２を密接した状態の外寸法とほぼ同一の大きさに形成されている。そのため球払出装置収容体３２の内部において球払出装置Ｌ１、Ｌ２は上下方向のみに移動可能であり前後左右方向の移動が規制されている。そのため、球払出装置Ｌ１、Ｌ２は別体の固定手段等により固定する必要はない。
【００４６】
なお、球払出装置収容体３２の奥壁板５３ｂには、図４及び図５に示す如く球払出装置Ｌ１の円筒ボス８３ａ、８３ｂに対応した凹溝６８、及び円筒ボス８３ｃ、８３ｄに対応した凹溝６９が、上下方向に形成されている。この球払出装置収容体３２に球払出装置Ｌ１、Ｌ２を収容する際、円筒ボス８３ａ、８３ｂが凹溝内６８に、円筒ボス８３ｃ、８３ｄが凹溝６９に、収納される。
【００４７】
また、球払出装置Ｌ１、Ｌ２は、密接した状態で収容されて取付けられているために、何れか一方の球払出装置が作動したときに、他方の球払出装置に振動が伝わる。その結果、他方の球払出装置に球詰まりがある場合には、その振動により球詰まりが解消する利点がある。
【００４８】
次に球払出装置収容体３２の上からカバー部材５４を取付けて、図１に示すように球払出装置Ｌ１、Ｌ２の上面を覆う。この状態で、球払出装置収容体３２を球払出装置設置部３１の前面側から嵌入部３３に嵌入させる。このとき、係止片のレバー４６は嵌入部の開口に掛らないようにしておく。球払出装置収容体３２を指で押し込むと、凸条３８〜３９が対向する設置部３１の溝状凹部３５〜３７に案内されて真っ直ぐにスライドし、スムーズな挿入を行うことができる。そして球払出装置収容体３２に設けた凸条３８〜４０と対向する底面板３４ｄ及び天井板３４ｅに設けられた溝状凹部３５〜３８により、左右方向の位置も規制されて所定の位置に位置決めされている。
【００４９】
球払出装置収容体３２の奥行きは、球払出装置設置部３１の深さとほぼ同じ大きさに形成されている。そのため球払出装置収容体３２が止まるまで挿入すると、前壁板５３ａは球払出装置設置部３１の前面板３４ｆと面一となる。そして球払出装置設置部３１の前面板３４ｆに軸支されたレバー４６を指先で下方に回動させて、レバー裏側の突起４８が係止用溝部５１内に嵌合することで、球払出装置収容体３２を球払出装置設置部３１に装着された状態を保持できる。球払出装置収容体３２の球払出装置Ｌ１、Ｌ２は、球通路８５の上には正確に球送出経路部１７ｃ、１７ｄが臨み、球通路８５の下には球排出経路部が臨むことになる。
【００５０】
また、球払出装置収容体３２を球払出装置設置部３１から取り外すには、まずレバー４６を指先で上方に回動させて、レバー４６の先端が嵌入部３３の開口に掛らないように水平よりも上を向くようにして、球払出装置収容体３２の球払出装置設置部３１に対する保持状態を解除する。次に球払出装置収容体３２に設けられた取っ手５９を指先で摘まんで前方に引っ張り、球払出装置収容体３２を球払出装置設置部３１から完全に取出す。そして、外側に取り出した球払出装置収容体３２のカバー部材５４を上方に回動させて開口し、球払出装置Ｌ１、Ｌ２の側面上部を指で摘まみ引き上げて、２つの球払出装置Ｌ１、Ｌ２を取り出す。
【００５１】
本実施例において着脱案内手段は、球払出装置収容体３２（カバー部材５４も含む）に凸条を設け、該凸条が嵌合してスライド可能に形成された溝状凹部を球払出装置設置部３１の対向する位置に設けて構成したが、球払出装置収容体３２に溝状凹部を設け、球払出装置設置部３１に凸条を設けてもよいし、球払出装置収容体３２に凸条及び溝状凹部の両方を設け、球払出装置設置部３１に夫々対向する溝状凹部と凸条とを設けて構成してもよい。
【００５２】
また、凸条は溝状凹部の案内方向の全体に亘り連続的に形成された凸条に限らず、断続的に延設された凸条でも良いし、溝状凹部に嵌合可能であれば、単なる突起状の凸部として形成してもよい。すなわち着脱案内手段は、球払出装置収容体３２を球払出装置設置部３１の前後方向にスライドさせて、機構セット盤１２の球払出装置設置部３１に対する球払出装置収容体３２の取付け及び取外しのガイドとなるものであればよく、上記実施例の溝状凹部と対向する凸条からなる手段に特に限定されない。
【００５３】
着脱案内手段を凸部及び溝状凹部から構成し球払出装置収容体の上面又は底面に設けた場合、球払出装置設置部内で左右方向の所定の位置に保持されると、球払出装置の球通路の上下の開口が、機構セット盤の所定の位置に正確に配置されることになり、特別な位置決めのための作業は不要である。特に凸部が案内方向の前後に亘り連続的又は断続的に延設された凸条として形成されている場合には、機構セット盤の球払出装置設置部に球払出装置収容体を装着する際の案内と位置決めが同時にできる。
【００５４】
レバー４６、係止用溝部５１からなる球払出装置収容体３２の保持手段は、球払出装置収容体３２側或いは球払出装置設置部３１側のみの何れか一方にのみ設けられていても、或いは両方に設けられていても、実施例のレバー４６又は係止用溝部５１以外の態様であってもよい。要するに、指先で装着状態の保持及び解除が可能な形態の保持手段であれば採用することができる。
【００５５】
球払出装置収容体３２がカバー部材５４なしの状態で機構セット盤１２に装着された場合を図７に示す。この場合、球払出装置Ｌ１、Ｌ２の球供給口８６、８６と機構セット盤１２の球送出経路１７ｃ、１７ｄとの間にすき間Ｂが形成される。このように、パチンコ球が通過する通路にすき間が形成されていると、すき間の部分で球詰まりを誘発する可能性がある。これに対し、図８に示すように、球払出装置収容体３２にカバー部材５４を用いた場合には、機構セット盤１２に装着された際に、球供給口８６と球送出経路１７ｃ、１７ｄとの間のすき間Ｂを小さくすることができ、球詰まりの起きる可能性を小さくすることができる。
【００５６】
図９は、現金式パチンコ機Ｐに用いる球払出装置収容体と球払出装置を示す斜視図である。現金式パチンコ機Ｐの場合には球払出装置は一つのみ装着されていればよい。図９に示すように、球払出装置収容体３２の奥側の所定位置に第１の球払出装置Ｌ１（賞球用）を収容した後、該球払出装置収容体３２内部の前後方向中央部に、別体の仕切板９１を取付ける。
【００５７】
図５に示すように球払出装置収容体３２の内部には、仕切板９１の先端を挟んで保持するための、リブ６７の間に挟まれるように構成される仕切板支持部９２が設けられている。また図４に示すように左右の壁板５３ｃ、５３ｄには、上側から切り欠いた切り欠き溝９３、９４が形成されている。また図９に示すように仕切板９１は上端部が幅方向に突出した突部９５、９６を備える。同図に示すように、仕切板９１を球払出装置収容体３２に挿入すると、先端が前記仕切板支持部９２に嵌合すると共に、仕切板上端部の突部９５、９６が切り欠き溝９３、９４に嵌合し、仕切板９１は箱体の前後方向に移動しないように固定される。
【００５８】
球払出装置Ｌ１は仕切板９１と密着し、前後方向の動きが規制されている為、第１の球払出装置（賞球用）が、第２の球払出装置（貸球用）が取付けられていた空間に移動してしまうことはない。仕切板９１を取付けることで、球払出装置を一つしか収容しない場合でも、球払出装置収容体３２の内部に球払出装置を確実に保持固定できる。このように球払出装置を効率的に使用して、カード式遊技機及び現金式遊技機等の各種遊技機の形式に容易に対応することが出来る。
【００５９】
【発明の効果】
本発明遊技機は、遊技球を排出することが可能な球払出装置及び該球払出装置を設置するための球払出装置設置部を有する遊技機において、前記球払出装置が収容される球払出装置収容体が前記球払出装置設置部に装着され、前記球払出装置収容体及び／又は前記球払出装置設置部に、前記球払出装置収容体を前記球払出装置設置部の前後方向にスライド案内させて着脱するための着脱案内手段が設けられ、前記球払出装置収容体が前記球払出装置設置部に装着された状態の保持及び解除が指先で操作可能な保持手段が前記球払出装置収容体及び／又は前記球払出装置設置部の前面側に設けられ、前記球払出装置設置部から前記球払出装置収容体を取出すための把持手段が該球払出装置収容体に設けられている構成を採用したことにより、球払出装置設置部から球払出装置収容体を指先だけで前面側から操作して装着及び取り外しが出来るために、機構セット盤から球払出装置を着脱する作業を容易に行うことができる。
【００６０】
本発明遊技機は従来の球払出装置を直接ネジで機構セット盤に固定する遊技機と比較して、ドライバなどの工具を使用せずに指先の操作だけで簡単に着脱できる。また従来の、ネジを使用せずに係合突部を係合規制部に係合させて球払出装置を機構セット盤に固定する遊技機と比較して、着脱案内手段を備え保持手段が手前側に設けられているために、従来のような奥側の係合操作を手探りで行う作業が不要であるから、作業効率が低下したり部品が破損したりする畏れがない。
【００６１】
また複数の球払出装置が取り付けられる遊技機の場合には、球払出装置収納体に複数の球払出装置を収容することが出来るために、複数の装置を一度に装着したり取り外したりすることが容易である。
【図面の簡単な説明】
【図１】本発明遊技機の球払出装置収容体設置部と球払出装置収容体の１例を示す斜視図である。
【図２】本発明の１実施例のパチンコ機を示す正面図である。
【図３】図２のパチンコ機の背面図である。
【図４】カード式パチンコ機に用いる球払出装置収容体と球払出装置を示す斜視図である。
【図５】図４の球払出装置収容体の箱体の平面図である。
【図６】図５の球払出装置収容体に球払出装置をセットした状態を示す平面図である。
【図７】球払出装置収容体がカバー部材無しで機構セット盤に装着された状態を示す断面図である。
【図８】球払出装置収容体がカバー部材付で機構セット盤に装着された状態を示す断面図である。
【図９】現金式パチンコ機に用いる球払出装置収容体と球払出装置を示す斜視図である。
【符号の説明】
３１  球払出装置設置部
３２  球払出装置収容体
３３  （球払出装置設置部の）嵌入部
３４  （球払出装置設置部の）支持部材
３４ａ  側面板
３４ｂ  側面板
３４ｃ  奥側面板
３４ｄ  底面板
３４ｅ  天井板
３４ｆ  前面板
３５〜３７  溝状凹部
３８〜４０  凸条
４６  （係止片としての）レバー
４７  止めねじ
４８  レバーの裏側の突起
５１  係止用溝部
５２  開口部
５３  箱体
５３ａ  前壁板
５３ｂ  奥壁板
５３ｃ  左壁板
５３ｄ  右壁板
５３ｅ  床板
５４  カバー部材
５９  取っ手
８１  前壁面
８２  後壁面
８３ａ、８３ｂ、８３ｃ、８３ｄ  円筒ボス
８４ａ、８４ｂ、８４ｃ、８４ｄ  凹部
Ｌ１、Ｌ２  球払出装置
Ｐ  パチンコ機
【図１】
2004329277.tif 000003
【図２】
2004329277.tif 000004
【図３】
2004329277.tif 000005
【図４】
2004329277.tif 000006
【図５】
2004329277.tif 000007
【図６】
2004329277.tif 000008
【図７】
2004329277.tif 000009
【図８】
2004329277.tif 000010
【図９】
2004329277.tif 000011